(57)【要約】【課題】  親ドアと子ドアが継手部を介して折畳み可能に連結された折戸を間口の両側に対を成して装着し、両折戸が連動して開閉動作を行うことが出来る連動式折戸装置の提供。【解決手段】  子ドア３を間口に嵌めた枠体の縦桟側に軸８，８を介して揺動可能に取付け、親ドア２の上端にはブラケット９を取付けると共に継手部４が張り出す方向とは反対側へ先端部を突出している。ブラケット先端に軸１０を起立すると共に軸上端に取付けたスライダー１１を上レール１３に沿って移動可能に遊嵌し、そして間口の両側にプーリー１４ａ，１４ｂを回転自在に軸支すると共に両プーリー１４ａ，１４ｂにはワイヤー１５を８字状にクロスして巻き掛け、該ワイヤー１５を回転自在に取付けた連結具１６を介して軸１０に連結している。【選択図】    図１
2006009453.tif 000002
【特許請求の範囲】
【請求項１】
親ドアと子ドアが継手部を介して折畳み可能に連結された折戸を間口の両側に対を成して装着し、両折戸が連動して開閉動作を行うことが出来る連動式折戸装置において、子ドアを間口に嵌めた枠体の縦桟側に軸を介して揺動可能に取付け、親ドア上端にはブラケットを取付けると共に継手部が張り出す方向とは反対側へ先端部を突出し、ブラケット先端に軸を起立すると共に軸上端に取付けたスライダーを上レールに沿って移動可能に遊嵌し、そして間口の両側にプーリーを回転自在に軸支すると共に両プーリーにはワイヤーを８字状にクロスして巻き掛け、該ワイヤーを回転自在に取付けた連結具を介して軸に連結したことを特徴とする両開き連動式折戸装置。
【請求項２】
親ドアと子ドアが継手部を介して折畳み可能に連結された折戸を間口の両側に対を成して装着し、両折戸が連動して開閉動作を行うことが出来る連動式折戸装置において、子ドアを間口に嵌めた枠体の縦桟側に軸を介して揺動可能に取付け、親ドア上端にはブラケットを取付けると共に継手部が張り出す方向とは反対側へ先端部を突出し、ブラケット先端に軸を起立すると共に軸上端に取付けたスライダーを上レールに沿って移動可能に遊嵌し、そして間口の両側にプーリーを回転自在に軸支すると共に両プーリーにはワイヤーを８字状にクロスして巻き掛け、該ワイヤーを連結具を介して回転自在に起立した軸に連結したことを特徴とする両開き連動式折戸装置。
【発明の詳細な説明】
【技術分野】
【０００１】
本発明は間口の両側に折戸を装着し、この両折戸が連動して開閉することが出来る連動式の折戸装置に関すものである。
【背景技術】
【０００２】
図６は従来の一般的な折戸の開閉動作を示し、該折戸は親ドア(イ)と子ドア(ロ)から成って互いに折畳み出来るように間には蝶番などの継手が設けられている。そして子ドア(ロ)は吊元側に設けている軸(ハ)に回転自在に取付けられ、親ドア(イ)の上端に設けているスライダーが上レールに沿って移動することが出来、その為に同図に示すような軌跡を伴って開閉することが出来る。
【０００３】
出入り口に装着されて開閉する折戸は、開き戸に比較して開閉操作が容易である。特に出入り口の幅が大きな場合、開き戸を装着するならば開き戸の先端持ち手を握って開閉する場合、吊元の軸を中心とする回転半径が大きくなって操作がし難く、先端部が通路側へ大きくはみ出すことになる。これに対して折戸であれば、図６に示すように上レールに沿っての移動である為に比較的操作が簡単となる。
【０００４】
ところで、該折戸は親ドア(イ)と子ドア(ロ)の２枚組で構成される為に、間口が大きな場合には該間口の両側に折戸を対にして装着することが多い。勿論、親ドア(イ)及び子ドア(ロ)の幅寸法を大きくすることも可能であるが、開閉操作が不便に成る為に、両側に２基の折戸が装着される。しかし、２基の折戸を装着する場合には、間口を開閉する為に両折戸を夫々操作することが必要となり、これも不便である。
【０００５】
一方側の折戸の開閉操作に連動して他方の折戸も開閉するように構成することで２基の折戸を同時操作することが出来るようにすることが好ましい。特開２００１−１８２４２３号に係る「吊り戸装置」は間口の両側に吊り戸を装着し、片方の吊り戸を開閉操作することで他方の吊り戸も連動して開閉することが可能なように構成している。すなわち、間口両側にプーリーを軸支すると共にワイヤーを巻き掛けし、このワイヤーに吊り戸を連結した構造と成っている。一方の吊り戸が開閉するならば、ワイヤーを介して他方の吊り戸も連動して開閉することが出来る。
【０００６】
吊り戸は上レールに吊設されると共に、該上レールを吊車が移動することで開閉するが、折戸の場合には上レールに沿った直線移動でなく、折畳み動作を伴って開閉する為に、プーリーに巻き掛けされたワイヤーに折戸を連結するだけでは両折戸がスムーズな同時開閉動作を行うことが出来ない。
【特許文献１】特開２００１−１８２４２３号に係る「吊り戸装置」
【発明の開示】
【発明が解決しようとする課題】
【０００７】
大きな間口の両側に折戸を装着すると共に、両折戸を連動操作するには引戸と同じ構造とすることは出来ない。本発明が解決しようとする課題はこの問題点であり、両折戸がスムーズに同時開閉動作を行うことが出来る両開き連動式折戸装置を提供する。
【課題を解決するための手段】
【０００８】
本発明に係る両開き連動式折戸装置は、間口の両側に夫々折戸を装着し、各折戸は従来通り親ドアと子ドアが継手を介して屈曲可能に連結され、子ドアは間口の縦桟側に設けている軸や継手に取付けされている。そして親ドアの上端にはブラケットが取付けられ、該ブラケット先端側を親ドアから外方向へ突出させると共に、先端には軸を上方へ起立している。
【０００９】
軸の上端にはスライダーが取付けられ、該スライダーは間口上部に設けている上レールに遊嵌している。従って、親ドアはスライダーを介して上レールに沿ってスライドすることで折戸は開閉することが出来る。ところで、間口両側の上部にはプーリーが軸支され、該プーリーにはワイヤーが８字状にクロスした状態で巻き掛けられ、該ワイヤーはブラケットから起立した軸と連結している。
【００１０】
ここで、上記軸には連結具が回転自在に軸支され、該連結具にワイヤーが連結した構造と成っている。すなわち、折戸の開閉動作に伴って軸の向きが変化してもワイヤーの張設に影響しないように連結具は回転する。ただし、ブラケットから起立する軸自体を回転可能に起立することも可能である。
【発明の効果】
【００１１】
本発明の両開き連動式折戸装置は間口両側に折戸を装着し、両折戸は連動して開閉動作することが出来る。すなわち、間口上部の両側にはプーリーが軸支され、この両プーリーにはワイヤーが８字状に巻き掛けされ、そしてワイヤーには親ドアが連結している。従って、一方側の折戸を開閉操作することでワイヤーを介して他方の折戸が開閉動作する。
【００１２】
そこで、親ドアの上端にはブラケットが取着されると共に該親ドア表面から突出した先端に起立した軸にワイヤーが連結し、軸が回転したり又は軸に取付けられた連結具が回転することで、張設されたワイヤーは屈曲回転する両折戸を連動して開閉動作させることが出来る。
【実施例】
【００１３】
図１〜図４は本発明に係る両開き連動式折戸装置を示す実施例であり、図１は両折戸１ａ，１ｂが閉じた場合、図２は両折戸１ａ，１ｂが一部折畳まれた場合、図３は両折戸１ａ，１ｂが完全に折畳まれた場合を示している。又図４(ａ)は図１のＡ−Ａ断面、(ｂ)は折戸が折畳まれた状態での吊元側を各々示している。
【００１４】
折戸１は親ドア２と子ドア３有して継手部４を介して折畳み出来るように互いに連結している。子ドア３は縦桟５の上下部に取着されたブラケット６，６の水平片７，７に設けた軸８，８に軸支されて揺動可能に取付けられている。そして、親ドア２の上端中央部には概略三角形のブラケット９が取着され、ブラケット９の先端部は親ドア表面から突出している。突出方向は折戸１が折畳まれる際に継手部４が張り出す方向とは反対側に設けられている。
【００１５】
そして、ブラケット９の先端には軸１０が上方へ起立し、軸１０の上端にはスライダー１１が取付けられている。該スライダー１１は間口に取付けられている枠体の上桟１２に沿って設けられている上レール１３に遊嵌して移動可能と成っている。ここで、同図に示すスライダー１１はローラであるが、吊車を使用することも出来る。親ドア１が大きくしてその重量がある場合にはむしろ吊車をスライダーとして用いることで、折戸１を上レール１３に吊設ことが出来る。
【００１６】
このように、子ドア３は吊元側の軸８，８に軸支されると共に、親ドア２が上レール１３にガイドされることで、該折戸１は親ドア２と子ドア３が屈曲して折畳まれる。ところで、本発明では間口の両側に装着される両折戸１ａ，１ｂが連動して折畳まれ、逆に伸長することが出来るように構成されている。
【００１７】
枠体の両縦桟５，５に近接した間口両側にはプーリー１４ａ，１４ｂが回転自在に取付けられ、この両プーリー１４ａ，１４ｂにはワイヤー１５が巻き掛けられている。しかも巻き掛け形態は８字状にクロスしている。そして、該ワイヤー１５はブラケット９から起立した軸１０と連結具１６を介して連結している。
【００１８】
図５はブラケット９から起立する軸１０に軸支された連結具１６にワイヤー１５が連結している詳細図である。ワイヤー１５は弛まないように緊張状態にされているが、折戸１が開閉動作する場合、親ドア２は揺動する。親ドア２の揺動に伴って軸１０は回転するが、連結具１６は回転して常にワイヤー１５と同じ方向に向くことが出来る。
【００１９】
両折戸１ａ，１ｂが伸長して閉じた状態にある図１において、親ドア２と子ドア３の継手部付近に押圧力Ｐを付勢した場合、折戸１ａは折畳み動作を開始する。この際、ブラケット９から起立する軸上端に取付けられているスライダー１１は上レール１３の移動を開始し、同時に軸１０に連結しているワイヤー１５は矢印方向へ引っ張られる。
【００２０】
このワイヤー１５の引張り力Ｆは反対側の折戸１ｂに伝達されて、親ドア２のブラケット９から起立する軸１０に引張り力Ｆが作用する。すなわち、ワイヤー１５により軸１０が縦桟方向へ引っ張られることで折戸１ｂも折畳み動作を開始する。ここで、軸１０は親ドア２の表面から突出している為に、引張り力Ｆが作用する位置は子ドア３を軸支している軸８から位置ズレしている為に、該引張り力Ｆにてモーメントが作用することで折戸１ｂは折畳まれる。
【００２１】
逆に、図３のように折畳まれている折戸１ａを伸長して間口を閉じる場合、親ドア２に押圧力Ｐを作用するならば、ブラケット９から起立する軸１０は上レール１３に沿って中央側へ移動する。それと伴にワイヤー１５が引っ張られて引張り力Ｆが働き、この力は反対側折戸１ｂへ伝達されて該折戸１ｂの軸１０を中央側へ移動させる。
【図面の簡単な説明】
【００２２】
【図１】両折戸が閉じている場合。
【図２】両折戸が一部折畳まれた場合。
【図３】両折戸が完全に折畳まれた場合。
【図４】(ａ)は図１のＡ−Ａ断面図、(ｂ)は縦桟側詳細図。
【図５】軸に取付けられた連結具とワイヤーの連結構造。
【図６】従来の折戸装置。
【符号の説明】
【００２３】
１  折戸
２  親ドア
３  子ドア
４  継手部
５  縦桟
６  ブラケット
７  水平片
８  軸
９  ブラケット
10  軸
11  スライダー
12  上桟
13  上レール
14  プーリー
15  ワイヤー
16  連結具
【図１】
2006009453.tif 000003
【図２】
2006009453.tif 000004
【図３】
2006009453.tif 000005
【図４】
2006009453.tif 000006
【図５】
2006009453.tif 000007
【図６】
2006009453.tif 000008